(57)【要約】【課題】充填剤４２の気泡４８が画像の表示に与える影響を小さくすることを目的とする。【解決手段】表示装置は、光制御素子１６を含む複数層からなる回路基板１０と、回路基板１０に対向する対向基板３０と、回路基板１０と対向基板３０の間で、光制御素子１６を囲むように設けられたシール３８と、少なくとも回路基板１０及び対向基板３０並びにシール３８からなる封止面によって囲まれた封止空間４０に充填された充填剤４２と、を有する。封止面は、シール３８の内面によって形成された入り隅形状のコーナー面４４と、回路基板１０及び対向基板３０並びにシール３８の少なくとも１つからコーナー面４４に隣接して形成された凸面４６と、を有する。【選択図】図１
2014102371.tif 000002
【特許請求の範囲】
【請求項１】
光制御素子を含む複数層からなる回路基板と、
間隔をあけて、前記回路基板の前記光制御素子が設けられた面に対向する対向基板と、
前記回路基板と前記対向基板の間で、前記光制御素子を囲むように設けられたシールと、
少なくとも前記回路基板及び前記対向基板並びに前記シールからなる封止面によって囲まれた封止空間に充填された充填剤と、
を有し、
前記封止面は、前記シールの内面によって形成された入り隅形状のコーナー面と、前記回路基板及び前記対向基板並びに前記シールの少なくとも１つから前記コーナー面に隣接して形成された凸面と、を有することを特徴とする表示装置。
【請求項２】
請求項１に記載された表示装置において、
前記凸面は、前記シールの内面から形成され、前記回路基板から前記対向基板に至る高さで、前記コーナー面から前記封止空間の内部方向に突出し、
前記シールは、前記凸面を含め、全体に連続一体的に形成されていることを特徴とする表示装置。
【請求項３】
請求項２に記載された表示装置において、
前記シールは、前記内面と外面との間の幅が、前記凸面で広くなっていることを特徴とする表示装置。
【請求項４】
請求項２に記載された表示装置において、
前記シールは、前記内面に形成された前記凸面に対応して、外面に凹面を有することを特徴とする表示装置。
【請求項５】
請求項４に記載された表示装置において、
前記シールは、始点と終点が一致し、途切れることなく、かつ、同じ線を二度以上通らずに描かれた線に沿って延びることを特徴とする表示装置。
【請求項６】
請求項１に記載された表示装置において、
前記回路基板の表面は、積層される層の違いによって凹凸に形成され、
前記凸面は、前記回路基板の前記表面の相対的に低くなった面に隣接して形成されていることを特徴とする表示装置。
【請求項７】
請求項６に記載された表示装置において、
前記凸面は、前記対向基板からスペースをあけて位置し、
前記凸面と前記対向基板の間の前記スペースは、前記封止空間の一部であることを特徴とする表示装置。
【請求項８】
請求項６又は７に記載された表示装置において、
前記回路基板は、最上層と、前記最上層によって覆われる金属層と、を有し、
前記凸面は、前記最上層の前記金属層を覆う部分に形成されることを特徴とする表示装置。
【請求項９】
請求項８に記載された表示装置において、
前記金属層は、前記シールと重なる位置を通るように配置されていることを特徴とする表示装置。
【請求項１０】
請求項１に記載された表示装置において、
前記凸面は、前記対向基板に形成されていることを特徴とする表示装置。
【請求項１１】
請求項１０に記載された表示装置において、
前記対向基板は、前記コーナー面の内側の領域を避けて配置されたカラーフィルタ層と、前記カラーフィルタ層と重なる位置に設けられたスペーサと、を有し、
前記凸面は、前記コーナー面の内側の前記領域に設けられた、前記スペーサと同じ材料の層から形成されていることを特徴とする表示装置。
【請求項１２】
請求項１１に記載された表示装置において、
前記スペーサによって形成される前記凸面は、前記回路基板からスペースをあけて位置し、
前記凸面と前記回路基板の間の前記スペースは、前記封止空間の一部であることを特徴とする表示装置。
【発明の詳細な説明】
【技術分野】
【０００１】
本発明は、表示装置に関する。
【背景技術】
【０００２】
表示装置は、光を制御する素子を一対の基板で挟む構造を有している。例えば、有機エレクトロルミネッセンス表示装置では、ＴＦＴ（Thin Film Transistor）基板に、その上にあるＯＬＥＤ（Organic Light-Emitting Diode）素子部に対向するように、対向基板を貼り合わせるようになっている。この構造では、ＴＦＴ基板上に形成したＯＬＥＤ素子部の信頼性を確保するため、ＯＬＥＤ素子上にＳｉＮ等で封止膜を形成し、更に内部反射による光の損失を低減する目的で、充填剤を介して対向基板を貼り合せる。
【０００３】
充填剤は、ＴＦＴ基板の周縁部に設けられた凸状のダムの内側に滴下され、ダムより外側にはみ出さないようにすることが一般的である。この際、ダム構造の内側に隙間なく完全に充填剤を満たすことは難しく、気泡が残る問題があった。気泡が表示領域に入ると画像の表示に影響を与える。充填剤の気泡対策として、特許文献１及び２がある。
【先行技術文献】
【特許文献】
【０００４】
【特許文献１】特開２００７−２３３１１７号公報
【特許文献２】特開２００５−３０２７４０号公報
【発明の概要】
【発明が解決しようとする課題】
【０００５】
特許文献１には、ＴＦＴ基板に積層される膜を利用して突起を形成し、これにより充填剤が気泡を巻き込むことを抑制することが開示されているが、突起を積層膜によって形成するので、その高さに制限があり、効果が小さいという問題があった。
【０００６】
特許文献２には、ダムに相当する凸部を連続に形成するのではなく、コーナー部で分断することで隙間をあけて、充填剤を意図的に外にはみ出させる構造が提案されている。しかし、充填剤をはみ出せることは、はみ出した充填剤を除去する工程が増えるため実用的ではない。
【０００７】
本発明は、充填剤を入れた封止空間に残った気泡が画像の表示に与える影響を小さくすることを目的とする。
【課題を解決するための手段】
【０００８】
（１）本発明に係る表示装置は、光制御素子を含む複数層からなる回路基板と、間隔をあけて、前記回路基板の前記光制御素子が設けられた面に対向する対向基板と、前記回路基板と前記対向基板の間で、前記光制御素子を囲むように設けられたシールと、少なくとも前記回路基板及び前記対向基板並びに前記シールからなる封止面によって囲まれた封止空間に充填された充填剤と、を有し、前記封止面は、前記シールの内面によって形成された入り隅形状のコーナー面と、前記回路基板及び前記対向基板並びに前記シールの少なくとも１つから前記コーナー面に隣接して形成された凸面と、を有することを特徴とする。本発明によれば、充填剤に含まれる気泡は、封止面に接触した状態で安定するという性質から、コーナー面の内側に集まる。コーナー面の内側には、凸面によって複数の区画領域が形成されるので、気泡がそれぞれの区画領域に分散される。これにより、封止空間に気泡が残った場合でも、気泡を小さくすることができ、気泡が画像の表示に与える影響を小さくすることができる。
【０００９】
（２）（１）に記載された表示装置において、前記凸面は、前記シールの内面から形成され、前記回路基板から前記対向基板に至る高さで、前記コーナー面から前記封止空間の内部方向に突出し、前記シールは、前記凸面を含め、全体に連続一体的に形成されていることを特徴としてもよい。
【００１０】
（３）（２）に記載された表示装置において、前記シールは、前記内面と外面との間の幅が、前記凸面で広くなっていることを特徴としてもよい。
【００１１】
（４）（２）に記載された表示装置において、前記シールは、前記内面に形成された前記凸面に対応して、外面に凹面を有することを特徴としてもよい。
【００１２】
（５）（４）に記載された表示装置において、前記シールは、始点と終点が一致し、途切れることなく、かつ、同じ線を二度以上通らずに描かれた線に沿って延びることを特徴としてもよい。
【００１３】
（６）（１）に記載された表示装置において、前記回路基板の表面は、積層される層の違いによって凹凸に形成され、前記凸面は、前記回路基板の前記表面の相対的に低くなった面に隣接して形成されていることを特徴としてもよい。
【００１４】
（７）（６）に記載された表示装置において、前記凸面は、前記対向基板からスペースをあけて位置し、前記凸面と前記対向基板の間の前記スペースは、前記封止空間の一部であることを特徴としてもよい。
【００１５】
（８）（６）又は（７）に記載された表示装置において、前記回路基板は、最上層と、前記最上層によって覆われる金属層と、を有し、前記凸面は、前記最上層の前記金属層を覆う部分に形成されることを特徴としてもよい。
【００１６】
（９）（８）に記載された表示装置において、前記金属層は、前記シールと重なる位置を通るように配置されていることを特徴としてもよい。
【００１７】
（１０）（１）に記載された表示装置において、前記凸面は、前記対向基板に形成されていることを特徴としてもよい。
【００１８】
（１１）（１０）に記載された表示装置において、前記対向基板は、前記コーナー面の内側の領域を避けて配置されたカラーフィルタ層と、前記カラーフィルタ層と重なる位置に設けられたスペーサと、を有し、前記凸面は、前記コーナー面の内側の前記領域に設けられた、前記スペーサと同じ材料の層から形成されていることを特徴としてもよい。
【００１９】
（１２）（１１）に記載された表示装置において、前記スペーサによって形成される前記凸面は、前記回路基板からスペースをあけて位置し、前記凸面と前記回路基板の間の前記スペースは、前記封止空間の一部であることを特徴としてもよい。
【図面の簡単な説明】
【００２０】
【図１】図２に示す表示装置のＩ−Ｉ線断面図である。
【図２】本発明の第１の実施形態に係る表示装置を示す平面図である。
【図３】図２に示すシールの角部の拡大図である。
【図４】図３に示すシールの変形例を示す図である。
【図５】図４に示すシールの変形例を示す図である。
【図６】図３に示すシールの他の変形例を示す図である。
【図７】本発明の第２の実施形態に係る表示装置を示す断面図である。
【図８】図７に示すシールの角部及び金属層の平面図である。
【図９】図８に示す金属層の変形例を示す図である。
【図１０】図８に示す金属層の他の変形例を示す図である。
【図１１】本発明の第３の実施形態に係る表示装置を示す断面図である。
【図１２】図１１に示すシールの角部及び凸面を示す平面図である。
【図１３】図１２に示す凸面の変形例を示す図である。
【図１４】図１２に示す凸面の他の変形例を示す図である。
【発明を実施するための形態】
【００２１】
以下、本発明の実施形態について、図面を参照して説明する。
【００２２】
［第１の実施形態］
図１は、本発明の第１の実施形態に係る表示装置を示す断面図である。表示装置は、本実施形態では有機エレクトロルミネッセンス表示装置であるが、液晶表示装置その他の表示装置であってもよい。表示装置は、テレビ受像機、パーソナルコンピュータ用モニタ、ノート型パーソナルコンピュータ、ＰＤＡ（Personal Digital Assistant）、携帯電話機、デジタルスチルカメラ、デジタルビデオカメラ、カーナビゲーション用モニタなどに使用することができる。
【００２３】
表示装置は、回路基板１０を有する。回路基板１０は、複数層からなる。複数層の１層は、ガラス等からなる第１基板１２である。第１基板１２には、図示しない薄膜トランジスタなどの回路を含む回路層１４が形成されている。複数層の少なくとも１層から光制御素子１６が構成される。
【００２４】
光制御素子１６は、本実施形態では、有機エレクトロルミネッセンス素子である。図示しない薄膜トランジスタのソース電極（又はドレイン電極）に接続されるように、下部電極１８（例えば画素電極となる陽極）が形成されている。下部電極１８の下には光を反射する反射層２０がある。下部電極１８の一部を露出させるように、絶縁体からなるバンク層２２が形成されている。バンク層２２の開口で下部電極１８に接触するように、有機エレクトロルミネッセンス層２４が形成されている。有機エレクトロルミネッセンス層２４は、少なくとも発光層を含み、例えば、下部電極１８から順に、ホール注入層、ホール輸送層、発光層、電子輸送層、電子注入層が積層された構造が知られている。有機エレクトロルミネッセンス層２４の上には上部電極２６（例えば共通電極となる陰極）が形成されている。上部電極２６は、封止膜２８によって覆われている。封止膜２８は、例えば無機材料（例えばＳｉＮ，ＳｉＯ，ＳｉＯＮ）などで形成されている。また、封止膜２８は無機材料と有機材料を積層させて形成してもよい。図１の表示装置は、回路基板１０から射出される光が単色である。そのため、有機エレクトロルミネッセンス層２４は画像表示領域に一連の膜として形成してある。
【００２５】
表示装置は、対向基板３０を有する。対向基板３０は、回路基板１０から間隔をあけて、回路基板１０の光制御素子１６が設けられた面に対向する。本実施例において、対向基板３０は、複数層からなる。複数層の１層は、ガラス等からなる第２基板３２である。第２基板３２には、ブラックマトリクス層３４が形成されている。また、第２基板３２には、カラーフィルタ層３６が形成されている。カラーフィルタ層３６の一部はブラックマトリクス層３４に載るようになっている。カラーフィルタ層３６を使用するので、この例では、有機エレクトロルミネッセンス層２４は白色の光を発するようになっている。
【００２６】
図２は、本発明の第１の実施形態に係る表示装置を示す平面図である。なお、図１は、図２に示す表示装置のＩ−Ｉ線断面図である。回路基板１０と対向基板３０の間で、光制御素子１６を囲むようにシール３８が設けられている。シール３８によって空間が封止される。詳しくは、封止空間４０は、少なくとも回路基板１０及び対向基板３０並びにシール３８からなる封止面によって囲まれた空間である。封止空間４０には充填剤４２が充填されている。充填剤４２は例えば透明な樹脂などからなる。
【００２７】
図３は、図２に示すシール３８の角部の拡大図である。凸面４６は、シール３８の内面から形成され、シール３８の一部が封止空間４０側に突出した突出部を形成する面によって構成されている。シール３８は、凸面４６を含め、全体に連続一体的に形成されている。シール３８は、内面と外面との間の幅Ｗが、凸面４６を形成した個所で広くなっている。
【００２８】
封止面は、入り隅形状のコーナー面４４を含む。入り隅形状のコーナー面４４は、シール３８の内面によって形成されたものである。封止面は、凸面４６を含む。凸面４６は、回路基板１０及び対向基板３０並びにシール３８の少なくとも１つ（本実施形態ではシール３８のみ）から、コーナー面４４に隣接するように形成される。凸面４６は、図１に示すように回路基板１０から対向基板３０に至る高さで、コーナー面４４から封止空間４０の内部方向に突出している。封止空間４０は、コーナー面４４の内側で、凸面４６によって複数の区画領域に分けられる。充填剤４２は、複数の区画領域のそれぞれに気泡４８を有することができる。
【００２９】
本実施形態によれば、気泡４８は、封止面に接触した状態で安定するという性質から、コーナー面４４の内側に集まる。コーナー面４４の内側には、凸面４６によって複数の区画領域が形成されるので、気泡４８がそれぞれの区画領域に分散される。これにより、気泡４８が発生した場合、気泡４８を小さくすることができ、気泡４８が画像の表示に与える影響を小さくすることができる。また、封止後に充填剤４２を硬化させることで、気泡４８の移動を防止することができる。
【００３０】
図４は、図３に示すシール３８の変形例を示す図である。この例では、シール３８Ａは、内面に形成された凸面４６Ａに対応して、外面に凹面５０Ａを有する。シール３８Ａは、始点と終点が一致し、途切れることなく、かつ、同じ線を二度以上通らずに描かれた線Ｌ１Ａに沿って延びている。シール３８Ａが沿って延びる線Ｌ１Ａは、鈍角で屈曲している。
【００３１】
図５は、図４に示すシール３８の変形例を示す図である。この例は、シール３８Ｂが沿って延びる線Ｌ１Ｂが直角に屈曲する点で、図４に示す例と異なる。
【００３２】
図６は、図３に示すシール３８の他の変形例を示す図である。図３に示す例では、凸面４６が四角柱の３つの側面からなる形状になっているが、図６に示す例では、凸面４６Ｃが円柱の側面の一部からなる凸曲面になっている。また、図３に示す例では、シール３８の外面は、凸面４６とは反対の外面に、三角柱の２つの側面からなる凸部５２を有するが、図６に示す例では、シール３８Ｃの外面は、凸面４６Ｃとは反対の外面に、円柱の側面の一部からなる凸部５２Ｃを有する。
【００３３】
［第２の実施形態］
図７は、本発明の第２の実施形態に係る表示装置を示す断面図である。この例では、図１に示すカラーフィルタ層３６を使用せず、その部分には充填剤２４２が充填されている。複数の有機エレクトロルミネッセンス層２２４は、それぞれ、複数色（例えば、赤、緑及び青）の光を発するようになっている。
【００３４】
回路基板２１０は、金属層２５４を有する。金属層２５４は例えば配線である。金属層２５４は、シール２３８と重なる位置を通るように配置されている。回路層２１４の最上層２５６は、図１に示す封止膜２８と同じ材料で形成することができ、金属層２５４を覆っている。回路基板２１０の表面は、積層される層の違いによって凹凸に形成されている。最上層２５６が、金属層２５４の存在しない領域から金属層２５４の上に載るように配置されることで、最上層２５６の表面に段差２５６ａが形成される。段差２５６ａを構成するように立ち上がる最上層２５６の表面によって、凸面２４６が形成される。凸面２４６は、回路基板２１０の表面の相対的に低くなった面に隣接して形成される。凸面２４６は、対向基板２３０からスペースをあけて位置する。凸面２４６と対向基板２３０の間のスペースは、封止空間２４０の一部である。その他の詳細は、第１の実施形態で説明した内容が該当する。
【００３５】
図８は、図７に示すシール２３８の角部及び金属層２５４の平面図である。シール２３８は、内面では入り隅形状のコーナー面２４４が凹曲面になり、外面ではコーナー面２４４とは反対側の部分が凸曲面になっている。シール２３８は、始点と終点が一致し、途切れることなく、かつ、同じ線を二度以上通らずに描かれた線Ｌ２に沿って延びている。金属層２５４は、シール２３８と重なる部分と、シール２３８から封止空間２４０に突出する部分（図７に示す凸面２４６を形成するための部分）と、を含む。金属層２５４は、封止空間２４０に突出する部分では、図８に示すように凸状の曲線を描く平面形状になっている。
【００３６】
図９は、図８に示す金属層２５４の変形例を示す図である。この例では、金属層２５４Ａは、封止空間２４０Ａに突出する部分では、矩形の１つの角を挟む二辺からなる平面形状になっている。
【００３７】
図１０は、図８に示す金属層２５４の他の変形例を示す図である。この例では、金属層２５４Ｂは、封止空間２４０Ｂに突出する部分では、矩形の三辺からなる平面形状になっている。
【００３８】
［第３の実施形態］
図１１は、本発明の第３の実施形態に係る表示装置を示す断面図である。この例では、対向基板３３０は、シール３３８のコーナー面３４４の内側の領域を避けて配置されたカラーフィルタ層３３６を含む。対向基板３３０は、カラーフィルタ層３３６と重なる位置に設けられたスペーサ３５８を有する。スペーサ３５８によって、回路基板３１０と対向基板３３０の間隔が維持される。
【００３９】
凸面３４６は、対向基板３３０に形成されている。凸面３４６を構成する突出部は、コーナー面３４４の内側の領域に設けられた、スペーサ３５８と同じ材料の層から形成されている。スペーサ３５８と、凸面３４６を形成するための層は、同時に形成することができる。スペーサ３５８と同じ材料の層によって形成される凸面３４６は、回路基板３１０からスペースをあけて位置する。凸面３４６と回路基板３１０の間のスペースは、封止空間３４０の一部である。その他の詳細は、第１の実施形態で説明した内容が該当する。
【００４０】
図１２は、図１１に示すシール３３８の角部及び凸面３４６を示す平面図である。シール３３８は、内面では入り隅形状のコーナー面３４４が凹曲面になり、外面ではコーナー面３４４とは反対側の部分が凸曲面になっている。シール３３８は、始点と終点が一致し、途切れることなく、かつ、同じ線を二度以上通らずに描かれた線Ｌ３に沿って延びている。凸面３４６を形成するための層は、シール３３８と密着し、シール３３８から突出する先端面が、凸状の曲面になっている。凸面３４６は、シール３３８から突出する部分では、凸状の曲線を描く平面形状になっている。
【００４１】
図１３は、図１２に示す凸面３４６の変形例を示す図である。この例では、凸面３４６Ａを形成するための層は、シール３３８Ａと密着し、シール３３８Ａから突出する先端面が、角柱の側面の１つの角部を挟む二面からなる。凸面３４６Ａは、シール３３８Ａから突出する部分では、矩形の１つの角を挟む二辺からなる平面形状になっている。
【００４２】
図１４は、図１２に示す凸面３４６の他の変形例を示す図である。この例では、凸面３４６Ｂを形成するための層は、シール３３８Ｂと密着し、シール３３８Ｂからの先端面が、角柱の側面の３つの側面からなる。凸面３４６Ｂは、シール３３８Ｂから突出する部分では、矩形の三辺からなる平面形状になっている。
【００４３】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００４４】
１０  回路基板、１２  第１基板、１４  回路層、１６  光制御素子、１８  下部電極、２０  反射層、２２  バンク層、２４  有機エレクトロルミネッセンス層、２６  上部電極、２８  封止膜、３０  対向基板、３２  第２基板、３４  ブラックマトリクス層、３６  カラーフィルタ層、３８  シール、３８Ａ  シール、３８Ｂ  シール、３８Ｃ  シール、４０  封止空間、４２  充填剤、４４  コーナー面、４６  凸面、４６Ａ  凸面、４６Ｃ  凸面、４８  気泡、５０Ａ  凹面、５２  凸部、５２Ｃ  凸部、２１０  回路基板、２１４  回路層、２２４  有機エレクトロルミネッセンス層、２３０  対向基板、２３８  シール、２４０  封止空間、２４０Ａ  封止空間、２４０Ｂ  封止空間、２４２  充填剤、２４４  コーナー面、２４６  凸面、２５４  金属層、２５４Ａ  金属層、２５４Ｂ  金属層、２５６  最上層、３１０  回路基板、３３０  対向基板、３３６  カラーフィルタ層、３３８  シール、３３８Ａ  シール、３３８Ｂ  シール、３４０  封止空間、３４４  コーナー面、３４６  凸面、３４６Ａ  凸面、３４６Ｂ  凸面、３５８  スペーサ、Ｌ１Ａ  線、Ｌ１Ｂ  線、Ｌ２  線、Ｌ３  線。
【図１】
2014102371.tif 000003
【図２】
2014102371.tif 000004
【図３】
2014102371.tif 000005
【図４】
2014102371.tif 000006
【図５】
2014102371.tif 000007
【図６】
2014102371.tif 000008
【図７】
2014102371.tif 000009
【図８】
2014102371.tif 000010
【図９】
2014102371.tif 000011
【図１０】
2014102371.tif 000012
【図１１】
2014102371.tif 000013
【図１２】
2014102371.tif 000014
【図１３】
2014102371.tif 000015
【図１４】
2014102371.tif 000016